(57)【要約】  【課題】  魚に強くアピールできるプロペラ付きルアーを提供する。  【解決手段】  このルアーは、第１プロペラ４と第２プロペラ５とを尾部側の回動軸３上に備えている。第１プロペラ４と第２プロペラ５とは相互に大きさが異なり、また、回転方向も異なる。さらに、第１プロペラ４と第２プロペラ５との間にはカップワッシャ１１が介在しており、ルアーの動きに応じてプロペラが変位し相互に衝突し、衝突音も発生する。【選択図】      図１
2005261335.tif 000002
【特許請求の範囲】
【請求項１】
外形が魚に似せて形成され頭部側に釣糸連結部を有するルアー本体と、
前記ルアー本体の尾部側端部に挿入された尾部側方向に突出する細棒からなる回動軸と、
前記回動軸が貫通した状態で前記回動軸上に回動自在に位置する第１プロペラと、
前記回動軸が貫通した状態で前記回動軸上に前記第１プロペラと前記ルアー本体との間に回動自在に介在し、前記第１プロペラより小さい第２プロペラと、
前記第１プロペラと前記第２プロペラとの間に於いて前記回動軸上に介在するカップワッシャと
を備えたルアー。
【請求項２】
前記第１プロペラと前記第２プロペラとは回転方向が相互に異なる、請求項１に記載のルアー。
【請求項３】
前記第１プロペラと前記第２プロペラとは異なる素材から形成されている、請求項１又は２に記載のルアー。
【発明の詳細な説明】
【技術分野】
【０００１】
本発明はルアー、特に、水中で流水を受けて回転するプロペラを有するタイプのルアーに関する。
【背景技術】
【０００２】
魚釣りに際しては、外形を魚に似せた合成樹脂・金属等から形成されたルアー（擬餌）が用いられる。このようなルアーとしては、魚の興味を引き立てるべく他種多様のタイプのものが開発され提供されている。
【０００３】
従来のルアーの中には、魚を外形に似せたルアー本体の尾部側端部に回動自在なプロペラを配備したものがある。このようなルアーでは、水中で釣糸を巻き上げる等してルアーを泳動させると、プロペラが水流を受けて回転し、水音や水流を発生させて魚の興味を引き立てている。また、例えば、従来のある種のプロペラ付きルアーは、そのプロペラの複数の羽根にあって個々の羽根の形状，大きさ，角度，厚み，材質等をそれぞれ異なるものとして、イレギュラーな回転運動や音を発生させているものもある（特許文献１参照）。
【特許文献１】特開２００１−２０４３０１号公報
【発明の開示】
【発明が解決しようとする課題】
【０００４】
上述のように、従来のプロペラ付きルアーでは、羽根に様々な加工を施してイレギュラーな動作等を生じさせようとしてきた。しかし、このような加工にも限界がある。そこで、プロペラを複数配置して、複数のプロペラで異なる水音や異なるルアーの動きを演出することも考えられる。しかし、魚の興味を引き立てる音の発生という点に関しては未だ十分なものが提供されるに至っていない。
【０００５】
本発明は、魚に強くアピールできるルアーを提供するものである。
【課題を解決するための手段】
【０００６】
本発明のルアーは、外形が魚に似せて形成され頭部側に釣糸連結部を有するルアー本体と、ルアー本体の尾部側端部に挿入された尾部側方向に突出する細棒からなる回動軸と、回動軸が貫通した状態で回動軸上に回動自在に位置する第１プロペラと、回動軸が貫通した状態で回動軸上に第１プロペラとルアー本体との間に回動自在に介在し、第１プロペラより小さい第２プロペラと、第１プロペラと第２プロペラとの間に於いて回動軸上に介在するカップワッシャとを備える。
【０００７】
このルアーは、釣糸連結部に釣糸を連結して用いられる。水中に投げ込まれ釣糸を巻き上げる等すると、ルアーは釣糸連結部方向に向かって水中を泳動する。そして、尾部側に配置されている第１プロペラと第２プロペラとが水流を受けて回転する。この際、第２プロペラが第１プロペラに比べて小さく形成されており、第１プロペラへの水流も十分に確保される。
【０００８】
この第１プロペラと第２プロペラとの間の回動軸上にはカップワッシャが配置されており、第１プロペラ若しくは第２プロペラの何れかとカップワッシャの凸出する面とが相互に点接触している。このため、釣糸を引いてルアーを水中で泳動させ、ルアー本体が左右方向に大きく振れると、第１プロペラ若しくは第２プロペラも変位し、第１プロペラと第２プロペラとが相互に衝突し、ルアーにイレギュラーな動きを生じせしめると共に、イレギュラーな水音、さらにはプロペラ相互の衝突音を発生する。
【０００９】
本発明の別のルアーでは、第１プロペラと第２プロペラとは回転方向が相互に異なる。
例えば、第１プロペラと第２プロペラとの羽根の角度を相互に異なる方向に設定すれば、水流を受けた際の第１プロペラと第２プロペラと回転方向が異なる。よって、相互にプロペラが衝突し易く衝突音も発生しやすい。
【００１０】
本発明のさらに別のルアーでは、第１プロペラと前記第２プロペラとは異なる素材から形成されている。
【００１１】
第１プロペラと第２プロペラとの素材を異なるものとすることで、様々な衝突音を発生させることもできる。
【発明の効果】
【００１２】
本発明に係るルアーでは、プロペラが相互に衝突して、イレギュラーなルアーの動きやプロペラ相互の衝突音を発生し、魚に強くアピールできる。
【発明を実施するための最良の形態】
【００１３】
以下、本発明の一実施形態について図面を参照しつつ説明する。
図１に示すように、本発明の１つの実施形態を採用したルアーは、外形が小魚に似せて形成されているルアー本体１と、ルアー本体１の頭部側端部に設けられたアイ（釣糸連結部）２と、ルアー本体１の尾部側端部に尾部側に延出して配置されている回動軸３と、回動軸３上に配置される第１プロペラ４及び第２プロペラ５とを有している。また、ルアー本体１の腹部にはアイ６が配置されている。
【００１４】
このアイ５には釣糸Ｌが連結され、アイ６にはスプリットリング７を介して第１フック（釣針）８が連結されている。また、回動軸３の尾部側端部にもスプリットリングを介して第２フック９が連結されている。
【００１５】
ルアー本体１は、ＡＢＳ樹脂等の硬質合成樹脂からなる中空の部材である。左右一対の半割部材を開口面側で貼り合わせて一体化して構成されている。その形状は上述のように魚を模して形成されており、外周面には鱗模様・目・鰓等が描かれる。この一対の半割部材の開口の貼り合わせ面において、所定の箇所に凹凸が形成されており、ここにアイ５，６，回動軸３の一部が配置され、一対の半割部材を貼り合わせることで、これらの部材が本体部１に固定されている。さらに、このルアー本体１の頭部側の下面には斜め下方に突出しているリップ１ａが一体的に形成される。リップ１ａは左右方向に幅広に薄板状広がっている部分であり、水中で水を受ける水受けである。
【００１６】
このルアー本体１には、ルアー本体１のバランスを採るために任意の箇所に錘が収納される。例えば、上述の半割部材の腹部側の貼り合わせ面の一部に高比重金属を収納しても良い。また、リップ１ａの先端側端部の中央付近には球状の錘を埋め込んでもよい。
【００１７】
図２に詳しく示すように、ルアー本体１の尾部側端部に装着される回動軸３は金属製の細棒部材である。回動軸３の一端はリング状に折り曲げられて加工されており、他端（ルアー本体１に挿入される部分）は直角方向に折り曲げられている。この尾部側端部のリング状部分にスプリットリングを介して上述の第２フック９が連結される。上述のように、回動軸３はその他端をルアー本体１の半割部材の貼り合わせ面に形成される凹凸部分に挿入した状態でルアー本体１に固定されている。なお、このような回動軸３の形状に変えて、その頭部側端部をネジ形状として、ルアー本体１にねじ込み固定してもよい。
【００１８】
図２〜図４に示すように、回動軸３上には、ルアー本体１側から順に、カップワッシャ１０，第２プロペラ５，カップワッシャ１１，第１プロペラ４，カップワッシャ１２が隣接して配置される。
【００１９】
最もルアー本体１側に位置するカップワッシャ１０は、後方側（ルアー本体１と反対側）に外周面が凸出すると共に内周面が凹入している半球状型の部材である。第２プロペラ５と第１プロペラ４との間に介在するカップワッシャ１１も、上述のカップワッシャ１０と同様に、後方側（ルアー本体１と反対側）に外周面が凸出すると共に内周面が凹入している半球状型の部材である。最も後方側に位置するカップワッシャ１２は、上述のカップワッシャ１０，１１と逆方向に向いて配置され、即ち、前方側（ルアー本体１側）に外周面が凸出すると共に内周面が凹入している半球状型の部材である。これらのカップワッシャ１０〜１２には貫通孔が形成されており、回動軸３がこれらを貫通している。なお、カップワッシャ１０，１２は任意に配置すれば足りる。また、カップワッシャ１１の向きも任意に設定すれば足りる。
【００２０】
第１プロペラ４は、回動軸３上に回動自在に配置される部材であり、回動軸３が貫通した状態で回動軸３上に回動自在に位置するカップ部分４ａと、このカップ部分４ａから１８０度方向に変位して配置される一対の羽根部分４ｂとからなる。カップ部分４ａは後方側に外周面が凸出すると共に内周面が凹入している半球状型の部分である。このカップ部分４ａに貫通孔が形成され、この貫通孔を回動軸３が貫通している。また、羽根部分４ｂは軸方向に直交する平面方向に広がりつつ捻れた形状をなし、先端側端部は尾部側方向にやや屈曲している。
【００２１】
この第１プロペラ４のカップ部分４ａの凸出する側にカップワッシャ１２の凸出する外周面が点接触し、また、カップワッシャ１１の突出する外周面も第１プロペラ４のカップ部分４ａに点接触している。
【００２２】
第２プロペラ５も第１プロペラ４と同様のものであり、回動軸３上に回動自在に配置される部材であり、回動軸３が貫通した状態で回動軸３上に回動自在に位置するカップ部分５ａと、このカップ部分５ａから１８０度方向に変位して配置される一対の羽根部分５ｂとからなる。カップ部分５ａは後方側に外周面が凸出すると共に内周面が凹入している半球状型の部分である。このカップ部分５ａに貫通孔が形成され、この貫通孔を回動軸３が貫通している。また、羽根部分５ｂは軸方向に直交する平面方向に広がりつつ捻れた形状をなし、先端側端部は尾部側方向にやや屈曲している。
【００２３】
もっとも、この捻れ方向は上記第１プロペラ４と異なる方向に設定するのが好ましい。即ち、捻れ方向を第１プロペラ４と第２プロペラ５との回転方向を相互に異ならせる。また、第２プロペラ５は上記第１プロペラ４に比べて全体として小さく、ルアー本体１側から来る水流を第１プロペラ４も十分に受け得るようにする。
【００２４】
このように構成されているルアーは、アイ２に釣糸Ｌを連結して用いられる。水中に投げ込み釣糸Ｌを巻き上げる等すると、ルアーは頭部方向に向かって水中を泳動する。そして、尾部側に配置されている第１プロペラ４と第２プロペラ５とが水流を受けて回転する。
【００２５】
この第１プロペラ４と第２プロペラ５との間の回動軸３上では、カップワッシャ１１及びカップワッシャ１２が第１プロペラ４と点接触している。このため、釣糸Ｌを引いてルアーを水中で泳動させ、ルアー本体１のリップ１ａが水を受け、ルアー本体１が左右方向に大きく振れると、第１プロペラ４も大きく変位し、第１プロペラ４と第２プロペラ５とが相互に衝突する。そして、ルアーにイレギュラーな動きを生じせしめると共に、イレギュラーな水音、さらにはプロペラ相互の衝突音を発生する。また、第１プロペラ４と第２プロペラ５とは相互に異なる方向に回転するので（図４参照）、相互に衝突し易く、上述のような衝突音やイレギュラーな動作を起こしやすい。
【００２６】
なお、第１プロペラ４と第２プロペラ５とを異なる素材、例えば、一方をステンレスで、他方をプラスチック等で構成するなどしてもよい。このように異なる素材で各プロペラを形成することで、様々な衝突音を発生させることもできる。
【００２７】
さらには、第１プロペラ４と第２プロペラ５とに異なる色彩を付してもよい。個々のプロペラでの光の反射を異ならせ、魚へのアピール度を向上させることもできる。
【図面の簡単な説明】
【００２８】
【図１】本発明の一実施形態を採用したルアーの全体図。
【図２】図１のルアーの尾部側付近を示した図。
【図３】図２の参考図。
【図４】図１のルアーのプロペラの回転を示した図。
【符号の説明】
【００２９】
１  ルアー本体
１ａ  リップ
【図１】
2005261335.tif 000003
【図２】
2005261335.tif 000004
【図３】
2005261335.tif 000005
【図４】
2005261335.tif 000006